(57)【要約】【課題】管理者の作業負担を軽減することができるリモコン及びトイレ装置を提供することを目的とする。【解決手段】トイレブースに設置され使用者の局部を洗浄するノズルおよび使用者が着座する暖房便座の少なくともいずれかを有するトイレ装置本体を遠隔操作可能なトイレ装置用のリモコンであって、前記トイレブースに設置され前記トイレ装置本体を遠隔操作可能な本体リモコンに備えられていない操作スイッチを備えたことを特徴とするトイレ装置用のリモコンである。【選択図】図１
2018059393.tif 000002
【特許請求の範囲】
【請求項１】
トイレブースに設置され使用者の局部を洗浄するノズルおよび使用者が着座する暖房便座の少なくともいずれかを有するトイレ装置本体を遠隔操作可能なトイレ装置用のリモコンであって、
前記トイレブースに設置され前記トイレ装置本体を遠隔操作可能な本体リモコンに備えられていない操作スイッチを備えたことを特徴とするトイレ装置用のリモコン。
【請求項２】
トイレブースに設置され使用者の局部を洗浄するノズルおよび使用者が着座する暖房便座の少なくともいずれかを有するトイレ装置本体を遠隔操作可能なトイレ装置用のリモコンであって、
前記トイレブースに設置され前記トイレ装置本体を遠隔操作可能な本体リモコンが行うことができない前記トイレ装置本体の操作、および、前記本体リモコンよりも少ない操作回数による前記トイレ装置本体の操作、の少なくともいずれかが可能であることを特徴とするトイレ装置用のリモコン。
【請求項３】
前記リモコンは、複数の前記トイレ装置本体を操作可能であることを特徴とする請求項１または２に記載のリモコン。
【請求項４】
前記リモコンは、前記本体リモコンと通信可能であることを特徴とする請求項１または２に記載のリモコン。
【請求項５】
前記リモコンは、複数の前記本体リモコンと通信可能であることを特徴とする請求項３記載のリモコン。
【請求項６】
前記リモコンは、前記リモコンと前記トイレ装置本体との間で通信が行われたことを報知することを特徴とする請求項３または５に記載のリモコン。
【請求項７】
前記リモコンは、前記トイレ装置本体の電源スイッチを備えたことを特徴とする請求項１〜６のいずれか１つに記載のリモコン。
【請求項８】
前記リモコンは、水に浮くことを特徴とする請求項１〜７のいずれか１つに記載のリモコン。
【請求項９】
請求項１〜８のいずれか１つに記載のリモコンと、
前記リモコン本体と、
前記トイレ装置本体と、
を備えたことを特徴とするトイレ装置。
【請求項１０】
前記トイレ装置本体は、前記リモコンによって電源オフの状態とされてから、一定時間経過後に電源オンの状態となることを特徴とする請求項９記載のトイレ装置。
【発明の詳細な説明】
【技術分野】
【０００１】
本発明の態様は、一般的に、リモコン及びトイレ装置に関する。
【背景技術】
【０００２】
例えば、パブリック現場のトイレブースに設置されたトイレ装置は、使用者の局部に向けて洗浄水を噴射したり、使用者が着座する便座を温めたりするトイレ装置本体を有する。また、トイレ装置は、トイレ装置本体の設定や動作を操作するための本体リモコンを有する。
【先行技術文献】
【特許文献】
【０００３】
【特許文献１】特開２００２−３２７４８４号公報
【発明の概要】
【発明が解決しようとする課題】
【０００４】
パブリック現場に設置されたトイレ装置では、管理者は、季節毎に洗浄水の温度や便座の温度などの各種設定を、トイレブースに設置された本体リモコンの特殊操作によって行う。このような特殊操作は、管理者にとって大きな手間となる。特に、パブリック現場のように複数のトイレブースが連設されている場合には、複数のトイレブースの１つ１つにおいて、特殊操作による設定が行われるため、管理者の作業負担が大きい。
【０００５】
また、管理者（清掃者）は、トイレ装置本体を掃除するときに、トイレ装置本体の電源プラグを抜いて、電源をオフにする。複数のトイレブースが連接されたパブリック現場では、複数のトイレブースの１つ１つにおいて管理者が電源プラグを抜くことになるため、作業負担が大きい。また、パブリック現場によっては、トイレ装置本体の盗難防止等の観点から、電源プラグを簡単に抜くことが出来ない場合もある。
【０００６】
本発明は、かかる課題の認識に基づいてなされたものであり、管理者の作業負担を軽減することができるリモコン及びトイレ装置を提供することを目的とする。
【課題を解決するための手段】
【０００７】
第１の発明は、トイレブースに設置され使用者の局部を洗浄するノズルおよび使用者が着座する暖房便座の少なくともいずれかを有するトイレ装置本体を遠隔操作可能なトイレ装置用のリモコンであって、前記トイレブースに設置され前記トイレ装置本体を遠隔操作可能な本体リモコンに備えられていない操作スイッチを備えたことを特徴とするトイレ装置用のリモコンである。
【０００８】
このリモコンによれば、パブリック現場において、管理者は、本体リモコンを操作せずにリモコンを用いて、トイレ装置本体の設定変更などを簡単に行うことができる。そのため、管理者の作業負担を軽減することができる。
【０００９】
第２の発明は、トイレブースに設置され使用者の局部を洗浄するノズルおよび使用者が着座する暖房便座の少なくともいずれかを有するトイレ装置を遠隔操作可能なトイレ装置用のリモコンであって、前記トイレブースに設置され前記トイレ装置本体を遠隔操作可能な本体リモコンが行うことができない前記トイレ装置本体の操作、および、前記本体リモコンよりも少ない操作回数による前記トイレ装置本体の操作、の少なくともいずれかが可能であることを特徴とするトイレ装置用のリモコンである。
【００１０】
このリモコンによれば、パブリック現場において、管理者は、本体リモコンを操作せずにリモコンを用いて、トイレ装置本体の設定変更などを簡単に行うことができる。そのため、管理者の作業負担を軽減することができる。
【００１１】
第３の発明は、第１または第２の発明において、前記リモコンは、複数の前記トイレ装置本体を操作可能であることを特徴とするリモコンである。
【００１２】
このリモコンによれば、１つのリモコンで、複数のトイレ装置本体の設定変更などを簡単に行うことができる。そのため、管理者の作業負担を軽減することができる。
【００１３】
第４の発明は、第１または第２の発明において、前記リモコンは、前記本体リモコンと通信可能であることを特徴とするリモコンである。
【００１４】
このリモコンによれば、リモコンによるトイレ装置本体の設定変更の内容が、本体リモコンにも反映される。これにより、本体リモコンが認識するトイレ装置本体の設定が、実際のトイレ装置本体の設定から、ずれることを抑えられる。
【００１５】
第５の発明は、第３の発明において、前記リモコンは、複数の前記本体リモコンと通信可能であることを特徴とするリモコンである。
【００１６】
このリモコンによれば、リモコンによって行われた複数のトイレ装置本体の設定変更の内容が、複数の本体リモコンにも反映される。これにより、本体リモコンが認識するトイレ装置本体の設定が、実際のトイレ装置本体の設定から、ずれることを抑えられる。
【００１７】
第６の発明は、第３または第５の発明において、前記リモコンは、前記リモコンと前記トイレ装置本体との間で通信が行われたことを報知することを特徴とするリモコンである。
【００１８】
このリモコンによれば、使用者は、複数のトイレ装置本体の設定変更を行った際に、全てのトイレ装置本体の設定変更が完了したことを、リモコンにより知ることができるので、各トイレ装置本体の設定状態を確認する手間を省くことができる。そのため、管理者の作業負担を軽減することができる。
【００１９】
第７の発明は、第１〜第６のいずれか１つの発明において、前記リモコンは、前記トイレ装置本体の電源スイッチを備えたことを特徴とするリモコンである。
【００２０】
このリモコンによれば、トイレ装置本体の掃除の際に、管理者は、トイレ装置本体の電源を簡単にオフにすることができるので、トイレ装置本体の掃除が簡単になる。そのため、管理者の作業負担が軽減することができる。
【００２１】
第８の発明は、第１〜第７のいずれか１つの発明において、前記リモコンは、水に浮くことを特徴とするリモコンである。
【００２２】
このリモコンによれば、管理者が誤って便器内にリモコンを落としたとしても、便器内でのリモコンの紛失を防ぐことができる。
【００２３】
第９の発明は、第１〜第８のいずれか１つに発明に係るリモコンと、前記リモコン本体と、前記トイレ装置本体と、を備えたことを特徴とするトイレ装置である。
【００２４】
このトイレ装置によれば、管理者の作業負担が軽減されたリモコンを備えたトイレ装置を提供できる。
【００２５】
第１０の発明は、第９の発明において、前記トイレ装置本体は、前記リモコンによって電源オフの状態とされてから、一定時間経過後に電源オンの状態となることを特徴とするトイレ装置である。
【００２６】
このトイレ装置によれば、管理者がトイレ装置本体を電源オンの状態とする操作を忘れても、トイレ装置本体は電源オンの状態に復帰することができるため、使用者がトイレ装置本体の機能を使えない事態を抑制できる。
【発明の効果】
【００２７】
本発明の態様によれば、管理者の作業負担を軽減することができるリモコン及びトイレ装置が提供される。
【図面の簡単な説明】
【００２８】
【図１】実施形態に係るリモコンを有するトイレ装置を例示する斜視図である。
【図２】実施形態に係るトイレ装置の本体リモコンを例示する平面図である。
【図３】実施形態に係るトイレ装置のリモコンを例示する平面図である。
【図４】実施形態に係るトイレ装置を有するトイレルームを例示する平面図である。
【図５】実施形態に係るトイレ装置の別のリモコンを例示する平面図である。
【発明を実施するための形態】
【００２９】
以下、本発明の実施の形態について図面を参照しつつ説明する。なお、各図面中、同様の構成要素には同一の符号を付して詳細な説明は適宜省略する。  
図１は、実施形態に係るリモコンを有するトイレ装置を例示する斜視図である。  
実施形態に係るトイレ装置１００は、トイレ装置本体１２０と、本体リモコン１０と、リモコン２０と、を有する。トイレ装置本体１２０及び本体リモコン１０は、トイレブース２００に設置されている。トイレブース２００は、例えば、公共施設、駅、空港、パーキングエリア、店舗などのパブリック現場に設置されている。
【００３０】
トイレブース２００の床面上には、洋式腰掛便器（以下、単に「便器」と称する））１１０が設置されている。便器１１０は、トイレブース２００の壁面に直接的又は間接的に支持されていてもよい。
【００３１】
トイレ装置本体１２０は、便器１１０の上に設けられる。トイレ装置本体１２０は、便座（暖房便座）１２４と、ノズル１２８と、を有する。
【００３２】
また、トイレ装置本体１２０は、衛生洗浄機能と、便座暖房機能と、を有する。衛生洗浄機能は、便座１２４に座った使用者の局部（「おしり」など）をノズル１２８により洗浄する洗浄動作を行う機能である。便座暖房機能は、便座１２４の着座面を適温に温める便座加熱動作を行う機能である。
【００３３】
衛生洗浄機能では、使用者の操作に応じて、ノズル１２８を便器１１０のボウル部内に進出させる。そして、ノズル１２８の先端付近に設けられた吐水口から洗浄水を噴射する。これにより、使用者の局部を洗浄することができる。ノズル１２８は、衛生洗浄機能を実行していない状態では、トイレ装置本体１２０の内部に収納される。
【００３４】
衛生洗浄機能は、使用者の「おしり」に向けて洗浄水を噴射するおしり洗浄機能と、女性局部に向けて洗浄水を噴射するビデ洗浄機能と、を含む。衛生洗浄機能では、冷水のみならず、ヒータによって加熱した温水を洗浄水として吐水口から噴射することもできる。
【００３５】
トイレ装置本体１２０は、さらに、音発生機能と、ノズル洗浄機能（「ノズルきれい」機能）と、を有していてもよい。音発生機能は、例えば水洗音などを擬似的に発する機能である。ノズル洗浄機能は、ノズル１２８の外側および内側に洗浄水（除菌水）を流すことで、ノズル１２８を洗浄する機能である。
【００３６】
また、トイレ装置本体１２０は、人体検知センサ４０３と着座検知センサ４０４とのいずれか、またはその両方を有する。  
人体検知センサ４０３には、例えば、焦電センサ、マイクロ波センサ、超音波センサ、または測距センサ（赤外線投光式センサ）などを用いることができる。この例では、人体検知センサ４０３は、測距センサである。人体検知センサ４０３は、便座１２４の近くの人体の存在を検知することができる。  
着座検知センサ４０４には、例えば、マイクロ波センサ、測距センサ（赤外線投光式センサ）、超音波センサ、タクトスイッチ、マイクロスイッチ、静電容量スイッチ（タッチセンサ）、または歪みセンサなどを用いることができる。この例では、着座検知センサ４０４は、測距センサである。着座検知センサ４０４は、使用者の着座の有無を検知することができる。
【００３７】
本体リモコン１０は、トイレブース２００の壁面に設置されており、トイレ装置本体１２０を遠隔操作可能である。本体リモコン１０は、便器１１０を使用する使用者が、トイレ装置本体１２０の機能を操作するために用いられる。トイレ装置本体１２０は、本体リモコン１０から送信された無線信号に基づいて、衛生洗浄機能、便座暖房機能、音発生機能およびノズル洗浄機能のいずれかの動作を実行する。例えば、本体リモコン１０とトイレ装置本体１２０とは、相互通信（双方向通信）可能である。本体リモコン１０とトイレ装置本体１２０との間の通信には、電波又は赤外線が用いられる。
【００３８】
リモコン２０は、トイレ装置本体１２０を遠隔操作可能である。リモコン２０は、例えば、トイレ装置１００の管理者がトイレ装置本体１２０の機能の設定などを行うための管理者用リモコンである。リモコン２０は、トイレ装置１００の管理者によって携帯可能である。なお、管理者という範囲には、トイレ装置１００の清掃者なども含むものとする。
【００３９】
例えば、リモコン２０とトイレ装置本体１２０は相互通信可能である。また、リモコン２０と本体リモコン１０とは、相互通信可能である。これらの通信には、電波又は赤外線が用いられる。通信に用いられる電波の周波数は、ＧＨｚ（ギガヘルツ）帯域であり、例えば、２．４ＧＨｚ程度である。
【００４０】
図２は、実施形態に係るトイレ装置の本体リモコンを例示する平面図である。  
図２に示したように、本体リモコン１０は、複数の操作スイッチ１２を有する。複数の操作スイッチ１２は、操作スイッチ１２ａ〜１２ｇを含む。操作スイッチ１２が操作（この例では押下）されると、本体リモコン１０は、操作されたスイッチに応じた制御信号を送信する。トイレ装置本体１２０が制御信号を受信すると、トイレ装置本体１２０は、その制御信号に基づいて動作する、または、機能の設定を変更する。
【００４１】
本体リモコン１０は、便器１１０の使用者がトイレ装置本体１２０の機能を操作するための通常モードと、トイレ装置１００の管理者がトイレ装置本体１２０の機能の設定などを行うための設定モードと、を有する。
【００４２】
通常モードでは、本体リモコン１０は、各操作スイッチ１２に表示された、トイレ装置本体１２０の設定や動作を操作する。すなわち、通常モードにおいて、トイレ装置本体１２０は、操作スイッチ１２ａが押下されると衛生洗浄機能や音発生機能を停止し、操作スイッチ１２ｂが押下されるとおしり洗浄を開始し、操作スイッチ１２ｃが押下されるとビデ洗浄を開始し、操作スイッチ１２ｄが押下されると音発生を開始し、操作スイッチ１２ｅが押下されると「ノズルきれい」機能を実施し、操作スイッチ１２ｆが押下されると音発声機能の音量を変更し、操作スイッチ１２ｇが押下されると衛生洗浄機能の水勢を変更する。
【００４３】
本体リモコン１０は、特殊操作によって、通常モードから設定モードに入る。特殊操作とは、複数の操作スイッチ１２を組合わせて押下する操作や、操作スイッチ１２を複数回、押下する操作である。特殊操作には、操作スイッチの同時押しや長押しが含まれてもよい。
【００４４】
設定モードにおいて、各操作スイッチ１２には、通常モードとは異なる機能が割り当てられる。すなわち、本体リモコン１０は、設定モードにおいて、操作スイッチ１２の押下に基づき、通常モード中とは異なるトイレ装置本体１２０の動作制御や機能の設定変更を行う。例えば、設定モードでは、ノズル１２８から噴射される洗浄水の温度や、便座１２４の温度の設定を行うことができる。
【００４５】
また、トイレ装置本体１２０は、設定モード中の本体リモコン１０の特殊操作によって、「ノズルそうじ」を行うことができる。「ノズルそうじ」は、ノズル１２８を一定時間、洗浄水を噴射せずに便器１１０のボウル部内へ進出した状態とする動作である。これにより、管理者は、ノズル１２８の外側を布などで拭いたり、ノズル１２８の吐水口を掃除したりできる。
【００４６】
この「ノズルそうじ」を行う場合の特殊操作の例について説明する。例えば、操作スイッチ１２ａ（止スイッチ）が５回押下されると、本体リモコン１０は、設定モードとなる。本体リモコン１０は、設定モードとなってから約２０秒間、いずれの操作スイッチ１２も押下されなかった場合、通常モードに戻る。設定モード中に、操作スイッチ１２ｂ（おしりスイッチ）、操作スイッチ１２ｆ（音量スイッチ）、操作スイッチ１２ｃ（ビデスイッチ）が、この順で押下されることにより、トイレ装置本体１２０は「ノズルそうじ」を行う。その後、操作スイッチ１２ａが押下されると、ノズル１２８は、トイレ装置本体１２０内に収納される。または、ノズル１２８は、約５分後に自動でトイレ装置本体１２０内に収納される。
【００４７】
図３は、実施形態に係るトイレ装置のリモコンを例示する平面図である。  
図３に示すように、リモコン２０は、複数の操作スイッチ２２を有する。複数の操作スイッチ２２は、操作スイッチ２２ａ〜２２ｄを含む。操作スイッチ２２が操作（この例では押下）されると、リモコン２０は、操作されたスイッチに応じた制御信号を送信する。トイレ装置本体１２０が制御信号を受信すると、トイレ装置本体１２０は、その制御信号に基づいて動作する、または、機能の設定を変更する。
【００４８】
各操作スイッチ２２（操作スイッチ２２ａ〜２２ｄのそれぞれ）は、図２に示した本体リモコン１０に備えられていない操作スイッチである。すなわち、各操作スイッチ２２は、本体リモコン１０の各操作スイッチ１２が通常モード中に単独で有する機能とは異なる機能を有する。各操作スイッチ２２が押下されたときにリモコン２０は、通常モード中の本体リモコン１０が各操作スイッチ１２の押下に基づいて行うトイレ装置本体１２０の制御とは、異なる制御を行う。
【００４９】
リモコン２０が本体リモコン１０に備えられていない操作スイッチを備えることにより、管理者は、本体リモコン１０を操作せずにリモコン２０を用いて、トイレ装置本体１２０の設定変更などを簡単に行うことができる。これにより、管理者の作業負担を軽減することができる。
【００５０】
具体的には、操作スイッチ２２ａは電源スイッチである。リモコン２０は、電源スイッチが押下されると、電源の切り替えを指示する制御信号を送信する。トイレ装置本体１２０は、この制御信号を受信することで、電源オンの状態から電源オフの状態となる。
【００５１】
ここで、トイレ装置本体１２０の電源オフの状態とは、例えば、電源をオンにする操作以外の操作をトイレ装置本体１２０が受け付けない状態をいう。トイレ装置本体１２０の電源オフの状態は、いわゆるスリープ状態であり、トイレ装置本体１２０は、本体リモコン１０及びリモコン２０の操作スイッチが押されてもスリープ状態からの復帰操作以外の操作を受け付けない。  
なお、電源オフの状態としては、管理者がノズルそうじを行う際に、最低限、機能して欲しくない機能（例えば、おしり洗浄機能）を、トイレ装置本体１２０が受け付けない状態でもいい。例えば、電源オフの状態において、トイレ装置本体１２０は、衛生洗浄機能や「ノズルそうじ」などの動作の指示を受け付けず、温度等の設定の変更を受け付けてもよい。
【００５２】
電源スイッチが再び押下されると、リモコン２０は、電源の切り替えを指示する制御信号（スリープ状態からの復帰指示に関する信号）を送信する。トイレ装置本体１２０は、この制御信号を受信することで、電源オンの状態となり、スリープ状態からの復帰指示に関する制御信号以外の制御信号による操作を受け付ける。
【００５３】
本体リモコン１０に設けられた操作スイッチ１２では、通常モードにおいても設定モードにおいても、上述のトイレ装置本体１２０の電源オン／オフの操作を行うことができない。このため、管理者は、トイレ装置本体１２０の外郭の拭き掃除などに際して、トイレ装置本体１２０の電源プラグをコンセントから抜く作業を行っていた。また、パブリック現場によって電源プラグを簡単に抜けない場合には、ブレーカを操作していた。
【００５４】
これに対して、リモコン２０は、本体リモコン１０が行うことができない電源オン／オフの操作を、電源スイッチによって行うことができる。これにより、管理者は、トイレ装置本体１２０の電源を簡単にオフにすることができるので、トイレ装置本体１２０の掃除が簡単になる。したがって、管理者の作業負担を軽減することができる。
【００５５】
操作スイッチ２２ｂは、「ノズルそうじ」スイッチである。トイレ装置本体１２０は、「ノズルそうじ」スイッチが押下されることで、前述の「ノズルそうじ」を行う。
【００５６】
また、操作スイッチ２２ｃ、２２ｄは、それぞれ、便座温度設定スイッチ、洗浄水温度設定スイッチである。リモコン２０は、便座温度設定スイッチの＋側が押下されると、便座１２４の設定温度を一段階高くするように制御信号を送信する。また、リモコン２０は、便座温度設定スイッチの−側が押下されると、便座１２４の設定温度を一段階低くするように制御信号を送信する。トイレ装置本体１２０が、これらの制御信号を受信することで、便座温度の設定が変更される。
【００５７】
同様に、リモコン２０は、洗浄水温度設定スイッチの＋側が押下されると、ノズル１２８から噴射される洗浄水の温度を一段階高くするように制御信号を送信する。また、リモコン２０は、洗浄水温度設定スイッチの−側が押下されると、ノズル１２８から噴射される洗浄水の温度を一段階低くするように制御信号を送信する。トイレ装置本体１２０が、これらの制御信号を受信することで、洗浄水温度の設定が変更される。
【００５８】
なお、リモコン２０は、便座１２４や洗浄水の温度を特定の段階に設定する制御信号を送信してもよい。
【００５９】
管理者は、リモコン２０を用いることで、本体リモコン１０に関して説明した特殊操作を行わずに、「ノズルそうじ」の指示や、便座温度の設定変更、洗浄水温度の設定変更を行うことができる。すなわち、リモコン２０は、本体リモコン１０よりも少ない操作回数でトイレ装置本体１２０の操作が可能である。したがって、管理者の作業負担を軽減することができる。
【００６０】
また、リモコン２０は、トイレ装置本体１２０に制御信号を送信するにあたり、本体リモコン１０にも信号を送信する。本体リモコン１０は、この信号を受信することにより、リモコン２０によってトイレ装置本体１２０がどのように操作されたか、に関する情報を得ることができる。例えば、トイレ装置本体１２０の洗浄水温度の設定がリモコン２０により変更された場合、本体リモコン１０は、変更された洗浄水温度の設定を認識することができる。
【００６１】
このように、リモコン２０が本体リモコン１０と通信可能であることにより、リモコン２０によって行われたトイレ装置本体１２０の設定変更の内容が、本体リモコン１０にも反映される。これにより、本体リモコン１０が認識するトイレ装置本体１２０の設定が、実際のトイレ装置本体１２０の設定から、ずれることを抑えられる。
【００６２】
また、リモコン２０は、水に浮くことができる。例えば、リモコン２０には、内部に溜まった空気により浮力が作用する。管理者が誤って便器１１０内にリモコンを落としたとしても、リモコン２０は、便器１１０内の水に浮くため、便器１１０内でのリモコンの紛失を防ぐことができる。  
また、リモコン２０の大きさは、本体リモコン１０の大きさより小さく、携帯性を考慮して、管理者がポケットに入れて持ち運べる程度の大きさである。
【００６３】
図４は、実施形態に係るトイレ装置を有するトイレルームを例示する平面図である。  
図４は、パブリック現場のトイレルーム３００を例示している。トイレルーム３００内には、複数のトイレブース２００が設けられる。各トイレブース２００内には、前述したトイレ装置本体１２０及び本体リモコン１０が設けられる。例えば、１つのトイレブース２００内に設けられたトイレ装置本体１２０と本体リモコン１０とは、ペアリングされている。つまり、本体リモコン１０は、当該本体リモコン１０が設けられたトイレブース２００内のトイレ装置本体１２０とは通信可能であるが、隣接するトイレブース２００内のトイレ装置本体１２０とは通信しないように設定されている。
【００６４】
従来、このようなパブリック現場の管理者は、１つ１つのトイレブース２００において、本体リモコン１０の特殊操作により、トイレ装置本体１２０の設定変更等を行っていた。これに対して、リモコン２０は、複数のトイレ装置本体１２０を操作可能である。例えば、リモコン２０は、複数のトイレ装置本体１２０に、同時に制御信号を送信する。これにより、１つのリモコン２０で、複数のトイレ装置本体１２０の設定変更を一括で行うことができ、管理者の作業負担をより軽減することができる。
【００６５】
また、リモコン２０は、複数の本体リモコン１０と通信可能である。例えば、リモコン２０は、複数のトイレ装置本体１２０に制御信号を送信するにあたり、複数の本体リモコン１０にも一括で信号を送信する。これにより、リモコン２０によって行われた複数のトイレ装置本体１２０の設定変更の内容が、複数の本体リモコン１０にも反映される。
【００６６】
また、リモコン２０は、トイレ装置本体１２０と相互通信可能であるため、リモコン２０とトイレ装置本体１２０との間で通信が行われたことを認識可能である。実施形態において、リモコン２０は、リモコン２０とトイレ装置本体１２０との間で通信が行われたことを報知する。例えば、リモコン２０は、スピーカを有し、音による報知を行う。または、リモコン２０にＬＥＤやディスプレイ等を設けて、光による報知を行ってもよい。
【００６７】
図４の例のように、リモコン２０が複数のトイレ装置本体１２０の設定変更を行う場合、リモコン２０は、複数のトイレ装置本体１２０のそれぞれとリモコン２０との間で通信が行われたことを報知できる。これにより、管理者は、複数のトイレ装置本体１２０の設定変更を行った際に、全てのトイレ装置本体１２０の設定変更が完了したことを、リモコン２０により知ることができるので、各トイレ装置本体１２０の設定状態を確認する手間を省くことができる。そのため、管理者の作業負担を軽減することができる。
【００６８】
また、トイレ装置本体１２０は、リモコン２０の操作スイッチ２２ａの操作によって電源オフの状態となってから、一定時間経過後に電源オンの状態となる。すなわち、トイレ装置本体１２０は、リモコン２０から電源の切り替えを指示する制御信号を受信しなくても、自動的に電源オフの状態から電源オンの状態となる。これにより、管理者がトイレ装置本体１２０を電源オンの状態とする操作を忘れても、トイレ装置本体１２０は電源オンの状態に復帰することができるため、使用者がトイレ装置本体１２０の機能を使えない事態を抑制できる。なお、この場合の一定時間は、任意であるが、掃除の所要時間等を考慮して、例えば１０〜３０分程度とすることができる。
【００６９】
あるいは、トイレ装置本体１２０は、電源オフの状態において着座検知センサ４０４が使用者の着座を検知してから一定時間（例えば数十秒程度）経過すると電源オンの状態となってもよい。または、トイレ装置本体１２０は、電源オフの状態において人体検知センサ４０３が人体を検知しなくなってから一定時間（例えば数分程度）経過したときや、リモコン２０との相互通信が途絶えてから一定時間（例えば数分程度）経過したときや、リモコン２０がトイレ装置本体１２０から予め定めておいた距離だけ離れたときに、電源オンの状態となってもよい。
【００７０】
また、トイレ装置本体１２０が自動で電源オンの状態に復帰する代わりに、スピーカ、ＬＥＤなどの報知手段によって、電源がオフであることを報知してもよい。その後、一定時間経過後に、トイレ装置１２０が自動で電源オンの状態に復帰してもよい。この報知手段は、リモコン２０に設けられてもよいし、トイレ装置本体１２０に設けられてもよい。
【００７１】
トイレ装置本体１２０の電源オフの状態からの復帰は、上記に限らず、本体リモコン１０の特定のスイッチの操作、トイレ装置本体１２０のコンセントの挿抜、トイレ装置本体１２０に別途設けられたスイッチなどによるものでもよい。または、リモコン２０が、電源オフを指示する信号を送信してから一定時間経過後に、自動的に電源オンを指示する信号を送信してもよい。
【００７２】
図５（ａ）〜図５（ｅ）は、実施形態に係るトイレ装置の別のリモコンを例示する平面図である。  
リモコンの外観は、図３の例に限られず、例えば図５（ａ）〜図５（ｅ）に示す例のようであってもよい。図５（ａ）〜図５（ｅ）は、それぞれ、リモコン２０ａを上方、正面、下方、側方、背面から見た図である。操作スイッチ２２ａ１及び２２ａ２が、図３の操作スイッチ２２ａに相当し、操作スイッチ２２ｂ１及び２２ｂ２が、図３の操作スイッチ２２ｂに相当する。また、操作スイッチ２２ｃ１〜２２ｃ４が、図３の操作スイッチ２２ｃに相当し、操作スイッチ２２ｄ１〜２２ｄ４が、図３の操作スイッチ２２ｄに相当する。
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、リモコン２０、本体リモコン１０、トイレ装置本体１２０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
１０ 本体リモコン、  １２、１２ａ〜１２ｇ 操作スイッチ、  ２０ リモコン、  ２２、２２ａ〜２２ｄ 操作スイッチ、  １００ トイレ装置、  １１０ 便器、  １２０ トイレ装置本体、  １２４ 便座、  １２８ ノズル、  ２００ トイレブース、  ３００ トイレルーム
【図１】
2018059393.tif 000003
【図２】
2018059393.tif 000004
【図３】
2018059393.tif 000005
【図４】
2018059393.tif 000006
【図５】
2018059393.tif 000007